(57)【要約】【課題】本発明はレンズを鏡筒に一体化したレンズユニットにおいて、その調芯精度を高め、レンズの光学性能を向上させることを目的とする。【解決手段】この目的を達成するために本発明は、鏡筒７と、この鏡筒７の内部に配置されたレンズ８と、このレンズ８を鏡筒７に固定する調芯部材１０とを備え、鏡筒７の側面には調芯孔１１を有し、この調芯孔１１内に、同調芯孔１１の内壁と面接触するように調芯部材１０を挿入し、この面接触している部分のレンズ８反対側において、調芯部材１０と前記鏡筒７とを接着剤１２で接合したものである。  これにより、接着剤１２がレンズ８まで流れ込むのを抑制することができる。よって、レンズ８に付着した接着剤１２の硬化収縮による調芯のずれを有効に回避し、結果としてレンズ８の調芯精度を高め、光学性能を向上させることができる。【選択図】図１
2008076939.tif 000002
【特許請求の範囲】
【請求項１】
鏡筒と、
この鏡筒の内部に配置されたレンズと、
このレンズを前記鏡筒に固定する調芯部材とを備え、
前記鏡筒の側面には調芯孔を有し、
この調芯孔内に、同調芯孔の内壁と面接触するように前記調芯部材を挿入し、
この面接触している部分のレンズ反対側において、前記調芯部材と前記鏡筒とを接着剤で接合したレンズユニット。
【請求項２】
前記調芯部材は弾性体からなる請求項１に記載のレンズユニット。
【請求項３】
前記調芯部材と前記調芯孔とは、鏡筒の側面から内方に向かって断面積が小さくなるように形成した請求項１または２に記載のレンズユニット。
【請求項４】
鏡筒の内部にレンズを配置し、
鏡筒の側面に形成された調芯孔から調芯部材を挿入し、
この調芯部材と前記レンズとを接触させてこのレンズを調芯した後、
この調芯状態を維持しながら前記調芯孔の外方から接着剤を注入し、
前記調芯部材を前記調芯孔に密封接続するレンズユニットの製造方法。
【発明の詳細な説明】
【技術分野】
【０００１】
本発明は、携帯電話などに取り付けられる小型のレンズユニットおよびその製造方法に関するものである。
【背景技術】
【０００２】
図３に示すように従来の小型レンズユニットは、筒状の鏡筒１の内部にレンズ２を配置し、このレンズ２を調芯した状態で接着剤３により固定した構成をしている。
【０００３】
ここで調芯とは、レンズの光軸を調整することをいう。そして鏡筒１の側面であってレンズ２に対応した位置には調芯孔４を設け、この調芯孔４に調芯部材５を挿入してレンズ２の調芯を行っている。また接着剤３は、レンズ２と鏡筒１との間に流し込み、硬化させている。なお、この出願の発明に関連する先行技術文献情報としては、例えば、特許文献１が知られている。
【特許文献１】特開平７−５３５２号公報
【発明の開示】
【発明が解決しようとする課題】
【０００４】
上記のような従来の構造では、光学性能が低下するという問題があった。
【０００５】
それは、鏡筒１とレンズ２とを接着剤３によって固定しているため、この接着剤３が硬化する際に収縮してしまい、接着剤３の硬化前後でレンズ位置がずれるからであった。そしてその結果、調芯精度が悪くなり、光学性能が低下するのであった。
【０００６】
そこで本発明は、レンズ２の調芯精度を高め、光学性能を向上させることを目的とするものである。
【課題を解決するための手段】
【０００７】
この目的を達成するために本発明は、鏡筒と、この鏡筒の内部に配置されたレンズと、このレンズを鏡筒に固定する調芯部材とを備え、鏡筒の側面には調芯孔を有している。そして、調芯部材は調芯孔の内壁と面接触するように挿入され、この面接触している部分よりレンズとは反対側において調芯部材と鏡筒とを接着剤で接合したものである。
【発明の効果】
【０００８】
これにより本発明は、光学性能を向上させることが出来る。
【０００９】
それは、調芯部材は調芯孔の内壁と面接触しており、この面接触している部分より外側と調芯部材とを接着剤で接合したためである。すなわち、調芯部材と調芯孔の内壁とが密着していることから、接着剤がレンズまで流れ込むのを抑制することができる。よって、レンズに付着した接着剤の硬化収縮による調芯のずれを有効に回避し、結果としてレンズの調芯精度を高め、光学性能を向上させることができる。
【発明を実施するための最良の形態】
【００１０】
はじめに、本実施形態の構造について説明する。
【００１１】
図１はレンズユニット６の断面図であり、樹脂製の鏡筒７と、この鏡筒７の内部に配置されたレンズ８と、このレンズ８を鏡筒７に固定する調芯部材１０とを備えている。なお、本実施の形態ではこの鏡筒７内部に段差部９が形成されている。そして前述のレンズ８はこの段差部９に引っ掛けるように配置されている。また鏡筒７の側面には調芯孔１１を有している。そして、前述の調芯部材１０は調芯孔１１の内方の内壁と面接触するように調芯孔１１の第１の開口部１１ａから挿入され、この面接触している部分より外側（第１の開口部１１ａ側で、レンズ８とは反対側）とは接着剤１２で接合されている。
【００１２】
本実施の形態では、調芯孔１１および調芯部材１０の形状は、鏡筒７の外側（第１の開口部１１ａ側）から内側（第２の開口部１１ｂ側）に向けて先細くなる略円錐台形状とした。また、調芯部材１０はシリコン成形体のような弾性体で成形した。さらにレンズ８は約６００℃で成形プレスした非球面ガラスレンズを用い、その形状は中心部に厚みのある円形レンズ８ａの外周部に、平坦な突起部分８ｂが設けられたものである。そしてこのレンズ８の平坦な突起部分８ｂの上面と側面とは略直角になっている。
【００１３】
本実施の形態におけるレンズ８の調芯方法を以下に説明する。
【００１４】
はじめに、図１に示すように、鏡筒７内部にレンズ８を挿入し、段差部９に引っ掛けるように設置する。
【００１５】
次に、鏡筒７の調芯孔１１の第１の開口部１１ａから調芯部材１０を挿入し、この調芯部材１０を鏡筒７の内方に向けて押し、レンズ８の光軸を調節（調芯）する。なお、調芯部材１０と調芯孔１１のサイズは、調芯部材１０が調芯孔１１の内壁であって第２の開口部１１ｂ周辺と密着するよう、あらかじめ調整しておく。
【００１６】
その後、レンズ８を調芯により所定位置に固定した状態で、調芯孔１１の外方から接着剤１２を注入し硬化させ、調芯孔１１内壁と調芯部材１０の後端部とを接着する。
【００１７】
本実施の形態における効果を以下に説明する。
【００１８】
本実施の形態では、レンズ８の光学性能を向上させることができる。その理由を以下に説明する。
【００１９】
それは、調芯部材１０と調芯孔１１の内壁とは面接触し、かつこの面接触している部分より外側と調芯部材１０とは接着剤１２で接合されているため、レンズ８に接着剤１２が付着するのを抑制できるからである。
【００２０】
すなわち、図２に示すように、本実施の形態では、調芯部材１０を弾性体で成形していることから、調芯部材１０を第１の開口部１１ａから挿入し押し込むと、その応力によって調芯部材１０は破線１３で示される形状から実線１４で示される形状へと変化し、調芯部材１０と調芯孔１１の内壁とが密着するように面接触させることができる。
【００２１】
したがって、この状態で調芯孔１１の外方から接着剤１２を注入しても、この接着剤１２は調芯孔１１と調芯部材１０との隙間に入り込みにくくなっており、接着剤１２がレンズ８側面と鏡筒７の内壁との隙間や、レンズ８底部と段差部９との隙間に流れ込むのを抑制することができる。
【００２２】
よって、レンズ８に付着する接着剤１２の硬化収縮による調芯のずれ等を有効に回避することができ、結果としてレンズ８の調芯精度を高め、光学性能を向上させることができるのである。
【００２３】
さらに、本実施の形態では、調芯孔１１と調芯部材１０の形状を、共に、鏡筒７の外側（第１の開口部１１ａ側）から内側（第２の開口部１１ｂ側）に向かって先細くなる略円錐台形状としているため、レンズ８の光学性能をより向上させる効果を有する。
【００２４】
すなわち、調芯孔１１と調芯部材１０の形状を、前述のような略円錐台形状とすることによって、調芯部材１０を調芯孔１１に押し込むと、第２の開口部１１ｂ側へ行くほど調芯孔１１内壁から調芯部材１０へ印加される圧力が大きくなり、調芯部材１０の弾性変形を促進させるのである。
【００２５】
よって第２の開口部１１ｂ周辺では、調芯孔１１の内壁と調芯部材１０との密着性が向上し、上記と同様にレンズ８に付着した接着剤１２の収縮による調芯のずれ等を有効に回避することができ、結果としてレンズ８の光学性能をより向上させることができる。
【００２６】
また、本実施の形態では、調芯部材１０をシリコン成形体のような弾性体としたことにより、調芯部材１０を調芯孔１１へ押し込めば、弾性変形による内部応力や、摩擦抵抗によって調芯部材１０を仮固定させることができる。よって、接着剤１２の樹脂が硬化する前段階においても、レンズ８の調芯がずれるのを抑制し、光学性能を向上させることができる。
【００２７】
また調芯部材１０を弾性体とし、さらに調芯部材１０と調芯孔１１との形状を略円錐台形としていることによって、調芯部材１０と調芯孔１１との密着性が向上していることから、接着剤１２が硬化収縮して応力が発生した場合も、一旦定めた位置がずれるのを抑制することができる。
【００２８】
さらに、本実施の形態では、レンズ８の平坦な突起部分８ｂの側面が調芯部材１０の先端断面と略垂直になっている。したがって、調芯時に調芯部材を押し込む力がレンズ８に平行に伝播し、容易かつ高精度に調芯することができる。
【００２９】
なお、本実施の形態では、調芯孔１１および調芯部材１０を略円錐台形状としたが、調芯孔１１の内方の内壁と調芯部材１０とが面接触すれば本実施の形態と同様の効果を奏するため、いずれか一方を円柱形状としてもよく、いずれをも円柱形状としてもよい。また、調芯部材１０の、調芯孔１１内方の内壁と面接触する部分の形状を球形状、あるいは楕円球形状としても同様の効果を奏する。
【００３０】
また、調芯部材１０の材料は、シリコン成形体以外にもブタジエンゴムなど他のゴムや樹脂の弾性体を用いてもよい。なお、本実施の形態では、鏡筒７および調芯部材１０を共に樹脂製としたことによって、線膨張係数が近似し、その密着性をより高めることが出来、光学性能の向上に寄与する。また調芯部材１０としてゴムなどの摩擦係数の大きい材料を用いた場合、接着剤１２を挿入する前や接着剤１２が硬化する前段階でもその摩擦によって仮固定することができ、調芯精度を向上させることができる。なお、鏡筒の材料は樹脂に限定するものではないが、樹脂を用いる場合、その材料としてはポリカーボネート、ポリアミド、液晶ポリマー、ポリスチレンなどが挙げられる。
【００３１】
さらに、本実施の形態では、接着剤１２を調芯孔１１の外方に注入していることから、接着剤１２が硬化した後も、調芯孔１１の外方から薬剤を塗布するなどによって接着剤１１を軟化させることができ、調芯の再調整が可能である。
【００３２】
なお、前述の調芯部材１０の外方の端部を鏡筒７から延出させるか、あるいは突起（図示せず）を設けることで、この延出部分あるいは突起部分を持ってレンズ８の調芯を行うことができる。また、レンズ８を調芯し、接着した後はこの延出部分あるいは突起部分を切除すればよく、生産性の向上に寄与する。
【産業上の利用可能性】
【００３３】
以上のように本発明のレンズユニットは、その調芯精度が高められるという効果を有し、小型高性能なコンパクトデジタルカメラやモバイルカメラ等に代表される各種電子機器の撮像素子の用途として有用である。
【図面の簡単な説明】
【００３４】
【図１】本実施の形態におけるレンズユニットの断面図
【図２】本実施の形態におけるレンズユニットの調芯部材による密封方法を示す模式図
【図３】従来のレンズユニットを示す断面図
【符号の説明】
【００３５】
６  レンズユニット
７  鏡筒
８  レンズ
９  段差部
１０  調芯部材
１１  調芯孔
１１ａ  第１の開口部
１１ｂ  第２の開口部
１２  接着剤
【図１】
2008076939.tif 000003
【図２】
2008076939.tif 000004
【図３】
2008076939.tif 000005